(57)【要約】【課題】回動しやすい複数本のローラを用いることで、蛇の昇塔を防止することができ、また鉄塔脚部の主柱材や斜材の大きさや角度に関係なく、容易に装着することができ、かつ容易に運搬する。【解決手段】蛇の昇塔を阻止するように回動する複数本のローラ２と、複数本のローラ２を並列支持する枠体３と、枠体３を、鉄塔５１の脚部に着脱自在に装着するための取付具４とから成り、鉄塔５１の脚部に着脱自在に装着し、この鉄塔５１の脚部から蛇が昇塔することを防止する。【選択図】図１
2008148634.tif 000002
【特許請求の範囲】
【請求項１】
鉄塔（５１）の脚部に着脱自在に装着し、該鉄塔（５１）の脚部から蛇が昇塔することを防止する鉄塔防蛇器具（１）であって、
蛇の昇塔を阻止するように回動する複数本のローラ（２）と、
前記複数本のローラ（２）を並列支持する枠体（３）と、
前記枠体（３）を、鉄塔（５１）の脚部に着脱自在に装着するための取付具（４）と、から成る、ことを特徴とする鉄塔防蛇器具。
【請求項２】
複数本の前記ローラ（２）を、鉄塔防蛇器具（１）の装着状態において、略水平方向になるように前記枠体（３）に並列した、ことを特徴とする請求項１の鉄塔防蛇器具。
【請求項３】
２枚の前記枠体（３）が平面視で略Ｌ字状になるように、両枠体（３）を連結した、ことを特徴とする請求項１の鉄塔防蛇器具。
【請求項４】
前記取付具（４）は、前記枠体（３）に突片（６）を突設し、該突片（６）に開けた挿通孔（７）にバンド（８）を通し、該バンド（８）を鉄塔（５１）の脚部に巻き付け、このバンド（８）の両端を締結したものである、ことを特徴とする請求項１の鉄塔防蛇器具。
【請求項５】
前記ローラ（２）を並列支持する２個の枠体（３）を、両枠体（３）の端縁に取り付けた連結具（１０）で展開自在に連結した、ことを特徴とする請求項１の鉄塔防蛇器具。
【請求項６】
前記連結具（１０）はヒンジである、ことを特徴とする請求項５の鉄塔防蛇器具。
【発明の詳細な説明】
【技術分野】
【０００１】
本発明は、送電鉄塔の脚部から蛇が昇塔することを防止する鉄塔防蛇器具に関するものである。
【背景技術】
【０００２】
蛇が送電鉄塔に昇塔して電気事故が発生することがある。蛇が送電鉄塔の鉄塔上部にあるカラスの卵やひな等を狙って鉄塔によじ登り、そこで送電線等に接触して地絡事故等の電気事故が発生する。そこで、このような電気事故を防止するために種々の対策が講じられている。
【０００３】
蛇が鉄塔へ昇塔することを防止する技術に関しては、例えば特許文献１の特開２００５−３０７４３４号公報「蛇の昇塔防止パネル」に示すように、金網により形成され、電力設備の鉄塔への人の昇塔を防止する昇塔防止装置に取り付けられる蛇の昇塔防止パネルであって、昇塔防止装置は、鉄塔の塔脚に設けられ、塔脚に対して略直交方向に向かって放射状に延設される複数のロッドを有し、ロッドが形成する水平面を下方から覆うようにロッド間を跨いで該ロッドに固定されて、蛇の鉄塔への昇塔を防止する蛇の昇塔防止パネルが提案されている。
【特許文献１】特開２００５−３０７４３４号公報
【０００４】
また、特許文献２の実用新案登録第３００８７１６号公報「防蛇網付昇塔防止器」に示すように、送電鉄塔（送電線支持塔）の縦脚部材の周囲を取り巻くようにネジ止めされる複数の固定枠部材と、この固定枠部材にネジ止めされる複数の水平枠部材と、縦脚部材周囲の外方側を除いた位置に配置され且つ固定枠部材や水平枠部材にネジ止めされる複数の固定網枠と、縦脚部材周面の外方側に配置され且つ固定枠部材などの他の固定状部分に嵌合及びネジ止めにより退避移動操作可能に固定される開閉網枠とからなり、各網枠は周囲枠の内方に合成繊維などからなる網体を張設されたものとなした防蛇網付昇塔防止器が提案されている。
【特許文献２】実用新案登録第３００８７１６号公報
【０００５】
特許文献３の特開２００１−３０９５３２号公報「蛇の昇り防止具」に示すように、筒状体よりなり、筒状体の上部は、蓋が付いており、蓋は、光を透過する材料または構造、空気を流通する材料または構造にて形成されている蛇の昇り防止具が提案されている。
【特許文献３】特開２００１−３０９５３２号公報
【０００６】
特許文献４の実開平７−１６５３６号公報「昇蛇防止用ステップカバー」に示すように、電力設備の鉄骨構造物の鉄骨２に突設された作業者の昇降用ステップに装着される昇蛇防止用ステップカバーであって、ステップの外側にこれを覆うように被着されるカバー体と、このカバー体に設けられてステップに係脱自在に係止される係止部とから成りカバー体を、その上端部が鉄骨の表面に接地し、かつこの上端部から下端部へ向って下広がりの滑らかな傾斜面を有する形状とした昇蛇防止用ステップカバーが提案されている。
【特許文献４】実開平７−１６５３６号公報
【０００７】
更に、特許文献５の特開２００５−５７８９９号公報「電力設備の付設ワイヤの昇蛇防止具」に示すように、円筒を２つ割りした一対の半円筒体と、これらの半円筒体を開閉自在に結合するヒンジと、ヒンジと反対側の開放側を着脱自在に結合する結合具と、半円筒体に一体的に設けられてワイヤの嵌合孔が形成された仕切板とから成り、半円筒体の表面に昇蛇防止塗布液を塗布したことを特徴とする電力設備の付設ワイヤの昇蛇防止具が提案されている。
【特許文献５】特開２００５−５７８９９号公報
【発明の開示】
【発明が解決しようとする課題】
【０００８】
しかし、上述した特許文献１の「蛇の昇塔防止パネル」は、ロッド付昇塔防止器へ取り付けるものであり、ロッドがない別構造の昇塔防止器には使用することができないという問題を有していた。
【０００９】
また、特許文献２の「防蛇網付昇塔防止器」は、その構造が複雑であり、送電鉄塔（送電線支持塔）への取り付けに手間がかる。特に、大型鉄塔では、その構造上高い位置にしか取り付けることができないため、人間の昇塔防止器としてはあまり効果が期待できないという問題を有していた。
【００１０】
また、特許文献３の「蛇の昇り防止具」は、筒状体へ進入する蛇を捕獲することが目的であり、その管理が煩雑であるという問題を有していた。
【００１１】
また、特許文献４の「昇蛇防止用ステップカバー」は、ステップボルトのみの昇塔防止カバーであり、鉄塔のアングルを伝わって蛇が昇塔するためあまり効果が期待できないという問題を有していた。
【００１２】
また、特許文献５の「電力設備の付設ワイヤの昇蛇防止具」は、付設ワイヤのみで主柱材又は斜材という鉄塔自体から蛇が昇塔することを防止できないという問題を有していた。
【００１３】
本発明は、かかる問題点を解決するために創案されたものである。すなわち、本発明の目的は、回動しやすい複数本のローラを用いることで、蛇の昇塔を防止することができ、また鉄塔脚部の主柱材や斜材の大きさや角度に関係なく、容易に装着することができ、かつ容易に運搬することができる鉄塔防蛇器具を提供することにある。
【課題を解決するための手段】
【００１４】
本発明によれば、鉄塔（５１）の脚部に着脱自在に装着し、該鉄塔（５１）の脚部から蛇が昇塔することを防止する鉄塔防蛇器具（１）であって、蛇の昇塔を阻止するように回動する複数本のローラ（２）と、前記複数本のローラ（２）を並列支持する枠体（３）と、前記枠体（３）を、鉄塔（５１）の脚部に着脱自在に装着するための取付具（４）と、から成る、ことを特徴とする鉄塔防蛇器具が提供される。
複数本の前記ローラ（２）を、鉄塔防蛇器具（１）の装着状態において、略水平方向になるように前記枠体（３）に並列することが好ましい。
例えば、２枚の前記枠体（３）が平面視で略Ｌ字状になるように、両枠体（３）を連結した。
前記取付具（４）は、前記枠体（３）に突片（６）を突設し、該突片（６）に開けた挿通孔（７）にバンド（８）を通し、該バンド（８）を鉄塔（５１）の脚部に巻き付け、このバンド（８）の両端を締結したものである。
前記ローラ（２）を並列支持する２個の枠体（３）を、両枠体（３）の端縁に取り付けた連結具（１０）で展開自在に連結することができる。この連結具（１０）には例えばヒンジを用いる。
【発明の効果】
【００１５】
上記構成の発明では、蛇の昇塔を防止するために、容易に回動して蛇が止まりにくい複数本のローラ（２）を備えた鉄塔防蛇器具（１）を、枠体（３）の背面等に取り付けたバンド等の取付具（４）を用いて鉄塔（５１）の脚部に容易に装着することができる。この鉄塔防蛇器具（１）は、蛇が鉄塔（５１）に昇塔しようとするときに、複数本のローラ（２）が容易に回動して蛇が止まることができないために滑って昇ることを困難にする。即ち、蛇はその鱗を引っ掛けることができず登ることができなくなる。
【００１６】
この鉄塔防蛇器具（１）は鉄塔（５１）の脚部において周囲に突出するような構造ではないため、鉄塔（５１）上で作業しようとする人にとって、昇塔又は降塔する際に大きな支障とならない。そこで、一時的に取り外す必要がなく、取り付けた状態でもよい。また、その構造が簡単かつ軽量であるため、容易に搬送することができる。
【００１７】
枠体（３）に突片（６）を突設し、突片（６）に開けた挿通孔（７）にバンド（８）を通し、バンド（８）を鉄塔（５１）の脚部に巻き付け、このバンド（８）の両端を締結する取付具（４）では、鉄塔（５１）の脚部の主柱材（５２）や斜材（５３）の大きさや角度に関係なく、この鉄塔防蛇器具（１）を装着することができる。
【００１８】
ローラ（２）を並列支持する２個の枠体（３）を、ヒンジ等の連結具（１０）で展開自在に連結したものは、この鉄塔防蛇器具（１）の運搬に際しては畳んだ状態でコンパクトに運搬することができる。この鉄塔防蛇器具（１）を鉄塔（５１）の脚部に装着するときは、２枚の枠体（３）を展開してから装着することができる。
【発明を実施するための最良の形態】
【００１９】
本発明の鉄塔防蛇器具は、鉄塔の脚部に着脱自在に装着して、鉄塔の下方から蛇が昇塔することを防止するものである。
【実施例１】
【００２０】
以下、本発明の好ましい実施の形態を図面を参照して説明する。
図１は実施例１の鉄塔防蛇器具を示すものであり、（ａ）は正面図、（ｂ）は側断面図、（ｃ）は平断面図である。
実施例１の鉄塔防蛇器具１は、容易に回動する複数本のローラ２と、これらのローラ２を並列支持する枠体３と、この枠体３を鉄塔５１の脚部に着脱自在に装着する取付具４（突片６）とから成る器具である。
【００２１】
ローラ２は、枠体３内に架け渡した複数本の支持軸５に、何れの方向にも容易に回動するよう取り付けたものである。本発明では、地上から蛇が鉄塔５１脚部の主柱材５２又は斜材５３まで届かないように、複数本のローラ２を水平に並列配置した。なお、図示例では１個の枠体３に９本のローラ２を並列配置した例を示しているが、この９本に限定されないことは勿論である。
【００２２】
図１（ｂ）に示すように、枠体３内に並列したローラ２同士の間隔ｄは、蛇が通り抜けることができない程度が好ましい。この間隔ｄが広すぎると蛇が通り抜け、枠体３を使って昇塔するおそれがあるからである。逆に、この間隔ｄが狭すぎると、落ち葉やほこりが挟まり、ローラ２の回動を阻止して、防蛇効果が低下することがあるからである。
【００２３】
更に、各ローラ２は、その表面に蛇の登坂を妨害する滑りやすい塗料を塗布しておくことができる。このようにすればローラ２表面の塗料と、ローラ２自体の回動により蛇の昇塔を確実に阻止することができる。このように構成した鉄塔防蛇器具１は、鉄塔５１の脚部に取付具４を用いて装着する。
【実施例２】
【００２４】
図２は実施例２の鉄塔防蛇器具を示すものであり、（ａ）は斜視図、（ｂ）は部分平断面図である。図３は鉄塔の脚部の主柱材に鉄塔防蛇器具を装着した状態を示す平面図である。図４は鉄塔防蛇器具を鉄塔の脚部に取り付けた状態を示す正面図である。
実施例２の鉄塔防蛇器具１は、２枚の枠体３を、平面視で略Ｌ字状になるように、それぞれの枠体３端縁を連結したものである。これは鉄塔５１の脚部は、主柱材５２は例えば断面が略Ｌ字形状の１本であるが、そこから斜材５３が略９０度の角度で２方向に組み付けられている。それぞれの面に枠体３を取り付ける必要がある。そこで、図示例のような２枚の枠体３を連結した状態にしておけば、２枚の枠体３を鉄塔５１の脚部に同時に装着することができる。
【００２５】
図５は鉄塔防蛇器具を鉄塔の脚部に取り付けた状態を示す説明側断面図である。
本発明の鉄塔防蛇器具１は、鉄塔５１脚部の傾斜面側に取り付ける（図５では「表側」と表記した側）。蛇が移動するとき又は昇るときは、蛇体表面の細かい鱗を、土、砂、草等の地面又は樹木、鉄塔の鋼材面等の凹凸面に引っ掛けて移動又は昇っている。図５では「裏側」と表記した部分、反り返った状態の場所では、この細かい鱗を引っ掛けることができず、蛇は昇ることができない。そこで、本発明の鉄塔防蛇器具１は、蛇が昇塔するおそれがある鉄塔５１の表側（傾斜面側）にのみ装着すれば充分である。
【００２６】
鉄塔防蛇器具１を鉄塔５１の脚部（主柱材５２、斜材５３）に取り付けるときは、取付具４を用いる。この取付具４は、枠体３の背面に突片６を突設し、この突片６に開けた挿通孔７にステンレスバンドのような強力なバンド８を通し、このバンド８を鉄塔５１の脚部（主柱材５２斜材５３）に巻き付け、両先端を締結具９で締結したものである。このようなステンレスバンドにより、鉄塔防蛇器具１を鉄塔５１の脚部に強固に装着する。また、バンド８から成る取付具４では、鉄塔５１脚部の主柱材５２や斜材５３の大きさや角度に関係なく、この鉄塔防蛇器具１を容易に装着することができる。但し、この取付具４の手段は、図示例に限定されず、ボルトとナットを用いて固定することも勿論可能である（図示していない）。更に、これら以外の固定手段を用いることもできる。
【００２７】
このような構成の鉄塔防蛇器具１は、蛇が鉄塔５１に昇塔しようとするときに、複数本のローラ２が容易に回動して、蛇はその鱗を引っ掛けることができず登ることができなくなる。また、この鉄塔防蛇器具１は鉄塔５１脚部において周囲に突出するような構造ではないので、鉄塔５１上で作業しようとする人が昇塔又は降塔する際に大きな支障とならない。そこで、一時的に取り外す必要がなく、取り付けた状態でもよい。
【実施例３】
【００２８】
図６は実施例３の鉄塔防蛇器具を示す斜視図である。
実施例３の鉄塔防蛇器具１は、ローラ２を並列支持する２個の枠体３を、両枠体３の端縁をヒンジのような連結具１０で展開自在に連結したものである。このように、ローラ２を並列支持する２個の枠体３を、ヒンジ等の連結具１０で展開自在に連結したので、この鉄塔防蛇器具１の運搬に際しては畳んだ状態でコンパクトに搬送することができる。この鉄塔防蛇器具１を鉄塔５１の脚部に装着するときは、２枚の枠体３を展開してから装着することができる。その取り扱いと保管が容易になる。
【００２９】
更に、鉄塔防蛇器具１は、２個の枠体３をその両端縁に取り付けた係合部材で着脱自在に連結し得るように構成することも可能である（図示していない）。このときも、この係合部材部分で２個の枠体３が展開自在になるように構成すれば、容易に折り畳み、又は展開することができる。
【００３０】
なお、本発明は、回動しやすい複数本のローラ２を用いることで、蛇の昇塔を防止することができ、また鉄塔５１脚部の主柱材５２や斜材５３の大きさや角度に関係なく、容易に装着することができ、かつ容易に運搬することができれば、上述した発明の実施の形態に限定されず、本発明の要旨を逸脱しない範囲で種々変更できることは勿論である。
【産業上の利用可能性】
【００３１】
本発明の鉄塔防蛇器具は、送電鉄塔に装着することができるが、送電線以外の鉄塔であって蛇が昇塔することを防止するときにも利用することができる。
【図面の簡単な説明】
【００３２】
【図１】実施例１の鉄塔防蛇器具を示すものであり、（ａ）は正面図、（ｂ）は側断面図、（ｃ）は平断面図である。
【図２】実施例２の鉄塔防蛇器具を示すものであり、（ａ）は斜視図、（ｂ）は部分平断面図である。
【図３】鉄塔の脚部の主柱材に鉄塔防蛇器具を装着した状態を示す平面図である。
【図４】鉄塔防蛇器具を鉄塔の脚部に取り付けた状態を示す正面図である。
【図５】鉄塔防蛇器具を鉄塔の脚部に取り付けた状態を示す説明側断面図である。
【図６】実施例３の鉄塔防蛇器具を示す斜視図である。
【符号の説明】
【００３３】
１  鉄塔防蛇器具
２  ローラ
３  枠体
４  取付具
６  突片
７  挿通孔
８  バンド
１０  連結具
５１  鉄塔
５２  主柱材
５３  斜材
【図１】
2008148634.tif 000003
【図２】
2008148634.tif 000004
【図３】
2008148634.tif 000005
【図４】
2008148634.tif 000006
【図５】
2008148634.tif 000007
【図６】
2008148634.tif 000008